(57)【要約】【課題】各種環境汚染や呼吸器疾患の原因となる粉塵の飛散防止方法を提供すること。【解決手段】粉塵発生領域の粉塵発生時期に、当該領域に粘結性液を噴霧することを特徴とする粉塵の飛散防止方法。【選択図】なし【特許請求の範囲】
【請求項１】
粉塵発生領域の粉塵発生時期に、当該領域に粘結性液を噴霧することを特徴とする粉塵の飛散防止方法。
【請求項２】
粘結性液が、樹脂の水溶液または水分散液である請求項１に記載の粉塵の飛散防止方法。
【請求項３】
粉塵発生領域が、畑、広場、道路または砂漠である請求項１に記載の粉塵の飛散防止方法。
【発明の詳細な説明】
【技術分野】
【０００１】
本発明は、粉塵の飛散防止方法に関する。
【背景技術】
【０００２】
我が国においては、春先に春一番と呼ばれる風によって、畑や校庭において激しい砂塵が巻き起こり、周囲の民家などに被害をもたらしている。また、交通量の多い道路においても粉塵が季節を問わず発生し、排気ガスなどと一体となり、環境汚染の１因として、周囲の汚染とともに、呼吸器疾患の１原因ともされている。さらに春から夏にかけて偏西風の影響によりいわゆる黄砂が西日本から東日本にかけて飛来し、粉塵被害をもたらし、さらにこれらの黄砂には有害物質が付着しており、呼吸器疾患の原因の１つとなっていると言われている。
【発明の開示】
【発明が解決しようとする課題】
【０００３】
上記粉塵被害については、現在のところ有効な粉塵飛散防止技術は開発されていない。従って本発明の目的は、各種環境汚染や呼吸器疾患の原因となる粉塵の飛散防止方法を提供することである。
【課題を解決するための手段】
【０００４】
上記目的は以下の本発明によって達成される。すなわち、本発明は、粉塵発生領域の粉塵発生時期に、当該領域に粘結性液を噴霧することを特徴とする粉塵の飛散防止方法を提供する。
【発明の効果】
【０００５】
本発明によれば、粉塵の飛散を抑制し、汚染や呼吸器疾患の発生を抑制することができる。
【発明を実施するための最良の形態】
【０００６】
次に好ましい実施の形態を挙げて本発明をさらに詳しく説明する。本発明の方法が適用される粉塵発生領域としては、我が国では冬〜春の乾燥季における畑や校庭などの広場が挙げられる。これらの領域は、冬〜春にかけて西風（冬期）や南風（春季）によって微細な砂塵が数ｋｍの範囲に飛散する。また、通年の交通量の多い道路面では、道路の摩耗、タイヤの摩耗などによって粉塵が発生し、排気ガスと複合して周囲を汚染し、健康に悪影響を与える。また、海外では中国のタクラマカン砂漠、ゴビ砂漠、黄土高原、その他各地の砂漠などが挙げられ、これらの領域の微細な砂塵は偏西風にのって我が国に飛来し、環境を汚染するとともに、健康に悪影響を与える。
【０００７】
本発明は、上記の如き微細な粉塵は、弱い風であっても遠距離迄飛散するが、微細ではない粉塵の飛散は強風であっても近距離に留まることに着目し、微細粉塵発生領域に、微細粉塵が空中に飛散する時期に、微細粉塵領域に粉塵粘結剤を付与し、微細粉塵を集合させて自重を増やし、微細粉塵の落下速度を速めて空中への飛散を抑制するものであり、環境汚染や呼吸器疾患の発生を抑制するものである。微細粉塵を集合定着させるためには、無機性或は有機性の粘結剤を使用する。
【０００８】
本発明で使用する粘結剤としては、微細粉塵同士の粘結に有効な樹脂または無機粘結性材料などが挙げられる。地球環境を考慮すると、樹脂としては、例えば、ポリ乳酸、酢酸セルロース、ポリヒドロキシ酪酸など、生分解性樹脂が好ましい。無機性の粘結剤としては、例えば、硅酸ソーダ、コロイダルシリカなどの無機性の粘結剤が挙げられる。その他の粘結剤としては、澱粉、糖蜜、ソルビトール、グルコースなどの糖類、グリセリン、エチレングリコールなどの多価アルコールおよびそのエステル類が挙げられる。いずれも毒性、環境ホルモンなど、自然環境への負荷を十分に考慮した粘結剤を使用する。
【０００９】
具体的には、硅酸ソーダとして３号硅酸ソーダ（日本化学（株）製）、ポリ乳酸（ランディＳＬ−１２００、ミヨシ油脂（株）製）、多価アルコール（アルコックスＥ−３０、明成化学工業（株）製）、澱粉（東海澱粉（株）製）、ポリビニルアルコール（クラレポバール、（株）クラレ製）などが挙げられる。
【００１０】
上記の如く粘結剤は、水溶液または水分散液として用いる。製造・輸送性などを考慮して原液として濃度１０〜５０質量％の濃厚液を調製することが好ましく、使用時には噴霧が容易であるように０．０１〜１０質量％程度に水で希釈して使用する。上記原液には粘結液が粉塵内に滲透し易いように界面活性剤などの滲透剤を加えることができる。
【００１１】
上記界面活性剤としては、例えば、毒性、生態系に対する影響などを考慮すると、ポリオキシエチレンアルキルエーテル、ポリオキシエチレンアルキルエステル、多価アルコールエステルなどの非イオン系界面活性剤、アルキルスルホネート、アルキルサルフェートなどのアニオン界面活性剤が挙げられる。これらの界面活性剤は、上記原液中に５〜３０質量％程度加えることが好ましい。
【００１２】
さらに上記原液には、重炭酸ソーダ、硅酸ソーダなど、有害性の少ないアルカリ剤を加えて、粉塵の構造を破壊することにより、粘結効果を促進することができる。このようなアルカリ剤は上記原液中に１〜１０質量％程度加えることが好ましい。
【００１３】
上記の原液を水で希釈して粘結剤濃度を０．０１〜１０質量％程度にした散布液を、粉塵発生時期の粉塵発生領域の上空から、飛行機やヘリコプターにより散布し、微細粉塵に付着させ、水分の蒸発によって粉塵が集合結着され、微細粉塵は集合体となって、重量が重くなり、飛散性が著しく低下することになる。
【実施例】
【００１４】
次に粘結性液（散布液）の実施例を挙げる。
実施例１
・カルボキシメチルセルロース（ダイセル化学（株）製）    １．０質量％
・ポリオキシエチレン（ｎ＝１０）オレイルエーテル        ０．３質量％
・水                                                  ９８．７質量％
【００１５】
実施例２
・ポリビニルアルコール（クラレポバールＰＶＡ−２０５）  ５．０質量％
・アニオン界面活性剤（HostapurSAS-93、クラリアントジャパン（株）製）
０．５質量％
・水                                                  ９４．５質量％
【００１６】
実施例３
・ポリ乳酸（ランディＰＬ１２０）                          ３０質量％
・アニオン界面活性剤（HostapurSAS-93、クラリアントジャパン（株）製）
０．５質量％
・水                                                  ６９．５質量％
【００１７】
実施例４
・多価アルコール（アルコックスＥ−３０）                ２．０質量％
・ポリオキシエチレンソルビタンモノオレエート            ０．５質量％
・水                                                  ９７．５質量％
【００１８】
実施例５
・澱粉（東海澱粉（株）製）                            １０．０質量％
・ポリオキシエチレン（ｎ＝１０）ラウリルエーテル        ０．３質量％
・重炭酸ソーダ                                          ３．０質量％
・水                                                  ８６．７質量％
【産業上の利用可能性】
【００１９】
本発明によれば、粉塵の飛散を抑制し、粉塵飛散による環境汚染や健康被害を抑制することができる。